(57)【要約】【課題】気中ケーブルヘッドにおける作業時に、気中ケーブルヘッドの碍子部に直接かつ簡易に取り付けることができ、そこに足を乗せて作業を行うことによって作業員が安定した姿勢を保ち、安全に効率よく作業を実施することが出来る作業足場を提供することを目的とする。【解決手段】本発明にかかる作業足場は、気中ケーブルヘッドＡの碍子部Ｂに直接取り付けることのできる作業足場100において、半円形の凹部103のある二つの支持板材を有し、第１の支持板材101がナット部104を有するスライドレール部105を備え、第２の支持板材102がナット部104と合致する孔106を有し前記スライドレール部に対応する溝部107を備え、前記スライドレール部105を前記溝部107に嵌合した後、ボルト部材108を前記溝部107の孔106に挿入し前記スライドレール部105のナット部104に螺合させて第１の支持板材101と第２の支持板材102を前記碍子部Ｂに固定することを特徴とする。【選択図】  図１
2015198492.tif 000002
【特許請求の範囲】
【請求項１】
気中ケーブルヘッドの碍子部に直接取り付けることのできる作業足場において、
半円形の凹部のある二つの支持板材を有し、
第１の支持板材がナット部を有するスライドレール部を備え、
第２の支持板材がナット部と合致する孔を有し前記スライドレール部に対応する溝部を備え、
前記スライドレール部を前記溝部に嵌合した後、ボルト部材を前記溝部の孔に挿入し前記スライドレール部のナット部に螺合させて第１の支持板材と第２の支持板材を前記碍子部に固定することを特徴とする作業足場。
【請求項２】
気中ケーブルヘッドの碍子部に直接取り付けることのできる作業足場において、
半円形の凹部のある二つの支持板材を有し、
第１の支持板材の一端と第２の支持板材の一端が接続部により開閉可能なように接続され、第２の支持板材の他端が凸部を備え、第１の支持板材の他端が前記凸部に対応する凹部を備えるとともに、第１の支持板材と第２の支持板材のいずれか一方の支持板材の他端がバックル本体を備え、他方の支持板材の他端が前記バックルのフックを掛ける掛け止め部を備え、前記凸部を前記凹部に嵌合し前記フックを前記掛け止め部に引っ掛けることにより第１の支持板材と第２の支持板材を前記碍子部に固定することを特徴とする作業足場。
【請求項３】
前記スライドレール部のナット部または／および前記溝部の孔が複数形成されていることを特徴とする請求項１に記載の作業足場。
【請求項４】
前記掛け止め部が複数形成されていることを特徴とする請求項２に記載の作業足場。
【請求項５】
前記支持板材の有する半円形の凹部の縁が緩衝材により形成されていることを特徴とする請求項１〜４に記載の作業足場。
【請求項６】
気中ケーブルヘッドの碍子部に直接取り付けることのできる作業足場において、
半円形の凹部のある二つの支持板材と、
第１の支持板材と第２の支持板材を前記碍子部に固定する固定部材と、
を有することを特徴とする作業足場。
【発明の詳細な説明】
【技術分野】
【０００１】
本発明は、気中ケーブルヘッドの碍子部に直接的に組み付けることのできる、気中ケーブルヘッド用の作業足場に関するものである。
【背景技術】
【０００２】
電力流通設備である変電所の開閉器や避雷器等には、気中ケーブルヘッドが設置されている。図６に示すように、この気中ケーブルヘッドＡに対しては、作業員Ｃが保守点検作業や清掃作業、補修作業，リード線の接続・開放作業など多くの作業を実施している。
【０００３】
気中ケーブルヘッドＡでの作業では、作業員Ｃは、安全帯Ｄを碍子部Ｂに回して腰に固定し、碍子部Ｂのヒダに足をかけて作業を行う必要がある。
【０００４】
しかしながら、碍子部Ｂのヒダに足をかけて作業をする場合、足が滑ってしまう可能性があり、足場が非常に不安定で作業員Ｃが体勢を安定させて作業をすることは難しい。また、作業時の荷重によって、碍子部Ｂを破損させてしまう恐れもある。
【０００５】
そのような、問題を解決する方法として、「気中ケーブルヘッド用の簡易足場」（特許文献１）がある。この発明は気中ケーブルヘッドの土台部に直接的に組み付けることのできる気中ケーブルヘッド用の簡易足場であることから、気中ケーブルヘッドに種々の作業を実施する際に、気中ケーブルヘッドの土台部に足場を組み付けて、この簡易足場を介して、作業員が気中ケーブルヘッドに対する日々の点検作業や清掃作業、補修作業、リード線の開放・接続作業などを実施することができるものである。
【先行技術文献】
【特許文献】
【０００６】
【特許文献１】特開２０１０−２２１０６号公報
【発明の概要】
【発明が解決しようとする課題】
【０００７】
しかしながら、この「気中ケーブルヘッド用の簡易足場」は、装置が大きく、土台部への組み付けが煩雑であるため、設置や着脱に時間がかかり、作業の効率が大きく低下してしまう。
【０００８】
したがって、本発明は、気中ケーブルヘッドにおける作業時に、気中ケーブルヘッドの碍子部に直接かつ簡易に取り付けることができ、そこに足を乗せて作業を行うことによって作業員が安定した姿勢を保ち、安全に効率よく作業を実施することが出来る作業足場を提供することを目的とする。
【課題を解決するための手段】
【０００９】
請求項１の発明にかかる作業足場は、気中ケーブルヘッドの碍子部に直接取り付けることのできる作業足場において、半円形の凹部のある二つの支持板材を有し、第１の支持板材がナット部を有するスライドレール部を備え、第２の支持板材がナット部と合致する孔を有し前記スライドレール部に対応する溝部を備え、前記スライドレール部を前記溝部に嵌合した後、ボルト部材を前記溝部の孔に挿入し前記スライドレール部のナット部に螺合させて第１の支持板材と第２の支持板材を前記碍子部に固定することを特徴とする。
【００１０】
かかる構成によれば、作業足場を気中ケーブルヘッドの碍子部に直接かつ簡易に取り付けることができる。
【００１１】
請求項２の発明にかかる作業足場は、気中ケーブルヘッドの碍子部に直接取り付けることのできる作業足場において、半円形の凹部のある二つの支持板材を有し、第１の支持板材の一端と第２の支持板材の一端が接続部により開閉可能なように接続され、第２の支持板材の他端が凸部を備え、第１の支持板材の他端が前記凸部に対応する凹部を備えるとともに、第１の支持板材と第２の支持板材のいずれか一方の支持板材の他端がバックル本体を備え、他方の支持板材の他端が前記バックルのフックを掛ける掛け止め部を備え、前記凸部を前記凹部に嵌合し前記フックを前記掛け止め部に引っ掛けることにより第１の支持板材と第２の支持板材を前記碍子部に固定することを特徴とする。
【００１２】
かかる構成によれば、作業足場を気中ケーブルヘッドの碍子部に直接かつ簡易に取り付けることができる。また、二つの支持板材を接続部によって一体に接続しているため、碍子への取り付けがより簡易であり、運搬時の可搬性にも優れている。
【００１３】
請求項３の発明にかかる作業足場は、請求項１に記載の作業足場において、前記スライドレール部のナット部または／および前記溝部の孔は、複数形成されていることを特徴とする。かかる構成によれば、碍子へ固定する位置を調整することができ、異なる大きさの碍子にも同一の作業足場を適用することができるため、汎用性に優れている。
【００１４】
請求項４の発明にかかる作業足場は、請求項２に記載の作業足場において、前記掛け止め部は、複数形成されていることを特徴とする。かかる構成によれば、碍子へ固定する位置を調整することができ、異なる大きさの碍子にも同一の作業足場を適用することができるため、汎用性に優れている。
【００１５】
請求項５の発明にかかる作業足場は、請求項１〜４に記載の作業足場において、前記支持板材の有する半円形の凹部の縁は、緩衝材により形成されていることを特徴とする。かかる構成によれば、作業足場と碍子との衝撃を緩和し、作業足場の取り付け時や作業足場を用いた作業中に碍子を損傷させてしまうことを防止することができる。
【００１６】
請求項６の発明にかかる作業足場は、気中ケーブルヘッドの碍子部に直接取り付けることのできる作業足場において、半円形の凹部のある二つの支持板材と、第１の支持板材と第２の支持板材を前記碍子部に固定する固定部材とを有することを特徴とする。
【００１７】
かかる構成によれば、作業足場を気中ケーブルヘッドの碍子部に直接かつ簡単に取り付けることができる。
【発明の効果】
【００１８】
本発明によれば、気中ケーブルヘッドにおける作業時に、気中ケーブルヘッドの碍子部に直接かつ簡易に取り付けることができる、気中ケーブルヘッド用の作業足場を提供することができる。これにより、作業員は安定した足場を確保して姿勢を保ち、安全に効率よく作業を実施することができる。
【図面の簡単な説明】
【００１９】
【図１】(a)第１の実施形態にかかる作業足場の組立前の構成を示す平面図である。        (b)第１の実施形態にかかる作業足場の組立前の構成を示す側面図である。
【図２】(a) 第１の実施形態にかかる作業足場の組立時の構成を示す平面図である。        (b) 第１の実施形態にかかる作業足場の組立時の構成を示す側面図である。
【図３】(a) 第２の実施形態にかかる作業足場の組立前の構成を示す平面図である。        (b) 第２の実施形態にかかる作業足場の組立前の構成を示す側面図である。
【図４】(a) 第２の実施形態にかかる作業足場の組立時の構成を示す平面図である。        (b) 第２の実施形態にかかる作業足場の組立時の構成を示す側面図である。
【図５】本発明の作業足場の使用形態を示す側面図である。
【図６】作業員が碍子に直接足をかけて作業をしている状態を示す側面図である。
【発明を実施するための形態】
【００２０】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、又本発明に直接関係のない要素は図示を省略する。
【００２１】
［第１実施形態］
図１は本発明の第１実施形態にかかる作業足場の組立前の構成を示す図であり、図２は組立時の構成を示す図である。
【００２２】
図１に示すように、作業足場100は四角形の第１の支持板材101および第２の支持板材102から成り、碍子に接触する部分は半円形の凹部103が設けられている。第１の支持板材101はナット部104を有するスライドレール部105を備えている。第２の支持板材102はナット部104と合致する孔106を有し、前記スライドレール部105に対応する溝部107を備えている。
【００２３】
作業足場100を気中ケーブルヘッドの碍子部に取り付ける場合は、図２に示すように、スライドレール部105を溝部107に嵌合し、ボルト部材108を前記溝部107の孔106に挿入し、前記スライドレール部105のナット部104に螺合させて第１の支持板材101と第２の支持板材102を前記碍子部に固定する。
【００２４】
スライドレール部105を溝部107に嵌合することにより、第１の支持板材101と第２の支持板材102が一枚の板材となるため、作業員は安定した足場を確保して姿勢を保つことができる。また、ボルト部材108をスライドレール部105のナット部104に螺合させることにより、作業足場を気中ケーブルヘッドの碍子部に直接かつ簡易に取り付けることができる。
【００２５】
ここで、支持板材101および102の材質は、作業時の作業員の荷重を支持することができれば、鋼材製、ＦＲＰ製、強化プラスチック製などいずれの材質でも良い。
【００２６】
なお、第１の支持板材101のスライドレール部105が溝部となり、第２の支持板材102の溝部107がスライドレール部となってもよい。また、第１の支持板材101がスライドレール部105と溝部を有し、第２の支持板材102が溝部107と第１の支持板材101に設けた溝部に対応するスライドレール部を有しても良い。
【００２７】
また、支持板材は、作業員が足場を確保できる大きさがあれば、四角形に限定する必要はなく、多角形や円形でもよい。
【００２８】
スライドレール部105には二つのナット部104が、溝部107には１つの孔106が形成されている。
【００２９】
ナット部104が二つ形成されていることより、取り付ける碍子の大きさに合わせて使用するナット部104の位置を変え、いずれの大きさの碍子であっても、同じ作業足場100を使用することができる。
【００３０】
なお、ナット部104は二つに限らず、複数形成されていればよい。また、孔106が複数形成されてもよい。
【００３１】
碍子に接触する部分に設けられた半円形の凹部103は、柔軟で弾力性のあるゴム材が装着されている。
【００３２】
ゴム材を装着することにより、作業足場と碍子との衝撃を緩和し、作業足場の取り付け時や作業足場を用いた作業中に碍子を損傷させてしまうことを防止することができる。
【００３３】
なお、装着される素材は柔軟で碍子の損傷を防ぐ緩衝効果を有していれば良く、ゴム材に限定するものではない。
【００３４】
このように、スライドレール部105を溝部107に嵌合することにより、第１の支持板材101と第２の支持板材102が一枚の板材となるため、作業員は安定した足場を確保して姿勢を保つことができる。ボルト部材108をスライドレール部105のナット部104に螺合させることにより、作業足場を気中ケーブルヘッドの碍子部に直接かつ簡易に取り付けることができる。ナット部104が二つ形成されていることより、取り付ける碍子の大きさに合わせて使用するナット部104の位置を変え、いずれの大きさの碍子であっても、同じ作業足場100を使用することができる。また、半円形の凹部103にゴム材を装着することにより、作業足場と碍子との衝撃を緩和し、作業足場の取り付け時や作業足場を用いた作業中に碍子を損傷させてしまうことを防止することができる。
【００３５】
次に、本発明の第２実施形態の作業足場について説明する。
【００３６】
［第２実施形態］
図３は本発明の第２実施形態にかかる作業足場200の組立前の構成を示す図であり、図４は組立時の構成を示す図である。
【００３７】
図３に示すように、作業足場200は第１の支持板材201の一端と第２の支持板材202の一端が接続部203により開閉可能なように接続された構成であり、第２の支持板材202の他端が凸部204を備え、第１の支持板材201の他端が前記凸部に対応する凹部205を備え、碍子に接触する部分は半円形の凹部206が設けられている。第２の支持板材202の他端がバックル本体207を備え、第１の支持板材201の他端が前記バックルのフック208を掛ける掛け止め部209を備えている。
【００３８】
作業足場200を気中ケーブルヘッドの碍子部に取り付ける場合は、図４に示すように、
第２の支持板材202の他端に設けられた凸部204を第１の支持板材201に設けられた凹部205に嵌合し、フック208を掛け止め部209に引っ掛けることにより、第１の支持板材201と第２の支持板材202を前記碍子部に固定する。
【００３９】
凸部204を凹部205に嵌合することにより、第１の支持板材201と第２の支持板材202が一枚の板材となるため、作業員は安定した足場を確保して姿勢を保つことができる。フック208を掛け止め部209に引っ掛けることにより、作業足場を気中ケーブルヘッドの碍子部に直接かつ簡易に取り付けることができる。また、二つの支持板材を接続部によって一体に接続しているため、碍子への取り付けがより簡易であり、運搬時の可搬性にも優れている。
【００４０】
ここで、支持板材201および202の材質は、作業時の作業員の荷重を支持することができれば、鋼材製、ＦＲＰ製、強化プラスチック製などいずれの材質でも良い。
【００４１】
なお、本実施形態では、円形の支持板材201および202を用いているが、作業員が足場を確保できる大きさがあれば、円形に限定する必要はなく、多角形でもよい。
【００４２】
掛け止め部209は四つ形成されている。
【００４３】
掛け止め部209が四つ形成されていることより、取り付ける碍子の大きさに合わせて使用する掛け止め部209の位置を変え、いずれの大きさの碍子であっても、同じ作業足場100を使用することができる。
【００４４】
なお、掛け止め部209は四つに限らず、複数形成されていればよい。
【００４５】
碍子に接触する部分に設けられた半円形の凹部206は、柔軟で弾力性のあるゴム材が装着されている。
【００４６】
ゴム材を装着することにより、作業足場と碍子との衝撃を緩和し、作業足場の取り付け時や作業足場を用いた作業中に碍子を損傷させてしまうことを防止することができる。
【００４７】
なお、装着される素材は柔軟で碍子の損傷を防ぐ緩衝効果を有していれば良く、ゴム材に限定するものではない。
【００４８】
このように、本実施形態に係る作業足場200では、凸部204を凹部205に嵌合することにより、第１の支持板材201と第２の支持板材202が一枚の板材となるため、作業員は安定した足場を確保して姿勢を保つことができる。フック208を掛け止め部209に引っ掛けることにより、作業足場を気中ケーブルヘッドの碍子部に直接かつ簡易に取り付けることができる。二つの支持板材を接続部によって一体に接続しているため、碍子への取り付けがより簡易であり、運搬時の可搬性にも優れている。掛け止め部209が四つ形成されていることより、取り付ける碍子の大きさに合わせて使用する掛け止め部209の位置を変え、いずれの大きさの碍子であっても、同じ作業足場200を使用することができる。また、半円形の凹部206にゴム材を装着することにより、作業足場と碍子との衝撃を緩和し、作業足場の取り付け時や作業足場を用いた作業中に碍子を損傷させてしまうことを防止することができる。
【００４９】
次に上述した作業足場を用いた、作業方法について説明する。
【００５０】
［作業方法］
図５は作業足場100,200を気中ケーブルヘッドＡの碍子部Ｂに取り付け、作業員Ｃが作業をしている状態を示す図である。作業員Ｃは碍子部Ｂにおける作業前に、碍子部Ｂのヒダとヒダの間の凹んでいる箇所に作業足場100,200を固定する。
【００５１】
作業足場100,200の上に足を載せて体勢を安定させることによって、作業を安全にかつ効率的に実施することができる。さらに作業足場100,200を碍子部Ｂに取り付けても、安全帯Ｄを碍子部Ｂにかけて使用することは通常通り実施可能であり、その使用を何ら妨げるものではない。また、作業足場100,200と安全帯Ｄを併用することによって、墜落を防止し、作業の安全性を高めることができる。
【００５２】
作業足場100,200を取り付ける位置は、碍子部Ｂの高さや作業員Ｃの身長、作業場所の高さに応じて任意に設定することが可能である。これにより、碍子部Ｂの高さや作業員Ｃの身長，作業場所の高さが異なる場合であっても、作業足場100,200を利用することができる。
【００５３】
以上、本発明の好適な実施形態について詳細に説明したが、本発明はかかる実施形態に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【符号の説明】
【００５４】
Ａ…気中ケーブルヘッド
Ｂ…碍子部
Ｃ…作業員
Ｄ…安全帯
100…作業足場
101…第１の支持部材
102…第２の支持部材
103…半円形凹部
104…ナット部
105…スライドレール部
106…孔
107…溝部
108…ボルト部材
200…作業足場
201…第１の支持部材
202…第２の支持部材
203…接続部
204…凸部
205…凹部
206…半円形凹部
207…バックル本体
208…フック
209…掛け止め部
【図１】
2015198492.tif 000003
【図２】
2015198492.tif 000004
【図３】
2015198492.tif 000005
【図４】
2015198492.tif 000006
【図５】
2015198492.tif 000007
【図６】
2015198492.tif 000008